【事件の表示】
　特願２０１４−１４９２４２「画像表示装置及び画像表示方法」拒絶査定不服審判事件〔平成２８年　２月　８日出願公開、特開２０１６−　２４３８０、請求項の数（８）〕について、次のとおり審決する。
【結　論】
　原査定を取り消す。
　本願の発明は、特許すべきものとする。
【理　由】
第１　手続の経緯
特許出願：　平成２６年７月２２日
拒絶査定：　平成２９年９月６日（送達日：同年同月１２日）
拒絶査定不服審判の請求：　平成２９年１２月１２日 
手続補正：　平成２９年１２月１２日 
第２　原査定の概要
　原査定（平成２９年９月６日付け拒絶査定）の概要は次のとおりである。
　本願請求項１−１９に係る発明は、以下の引用文献１−６に基づいて、その発明の属する技術の分野における通常の知識を有する者（以下、「当業者」という。）が容易に発明できたものであるから、特許法第２９条第２項の規定により特許を受けることができない。
　引用文献等一覧
１.特開２０１２−６３７８４号公報
２.特開２００９−１５７１２７号公報
３.米国特許出願公開第２００８／００４９０４２号明細書
４.再公表特許第２００８／０９０８４５号
５.特開２００８−１５２２４４号公報
６.再公表特許第２００６／０１８９２６号
第３　本願発明
　本願請求項１−８に係る発明（以下、それぞれ「本願発明１」−「本願発明８」という。）は、平成２９年１２月１２日付けの手続補正で補正された特許請求の範囲の請求項１−８に記載された事項により特定される発明であり、以下のとおりの発明である。
「　【請求項１】
　複数の画素がマトリクス状に設けられた画像表示部と、
　赤、緑、青の３色とこの３色のうち２色以上の合成色からなる第１の色域に対応する入力画像信号に応じて前記画像表示部の各画素が有する副画素の出力を決定する処理部と
　を備え、
　前記複数の画素は、第１画素及び第２画素を含み、
　前記第１画素は、白色の副画素と、前記第１の色域に対応する赤の副画素、緑の副画素及び青の副画素と、を有し、
　前記第２画素は、白色の副画素と、第２の色域に対応するシアンの副画素、マゼンタの副画素及びイエローの副画素と、を有し、
　前記第２の色域は、シアン、マゼンタ、イエローの３色とこの３色のうち２色以上の合成色からなり、
　前記第１画素と前記第２画素とが隣接し、
　前記処理部は、前記第２画素に対応する入力画像信号の成分のうち白色に変換可能な白色成分を前記白色の副画素に割り当て、前記白色成分を除いた当該入力画像信号の成分のうちシアン、マゼンタ及びイエローで再現可能な第２色域成分を前記シアンの副画素、前記マゼンタの副画素及び前記イエローの副画素の少なくとも１つに割り当て、前記白色成分及び前記第２色域成分を除いた当該入力画像信号の成分を色域外成分とし、前記第１画素に対応する入力画像信号の成分と前記色域外成分とを合わせた合算成分を前記第１画素が有する副画素に割り当てる
　画像表示装置。　
　　【請求項２】
　前記処理部は、前記合算成分のうち前記色域外成分により上昇する前記第１画素の輝度に対応する輝度調整成分を前記合算成分から減じて前記第１画素が有する副画素の出力を決定し、前記輝度調整成分を前記第２画素が有する副画素に割り当てる
　請求項１に記載の画像表示装置。　
　　【請求項３】
　前記処理部は、入力画像信号の成分のうち白色に変換可能な成分がある場合に前記白色の副画素を点灯させるように前記第１画素の出力を決定する
　請求項１又は２に記載の画像表示装置。　
　　【請求項４】
　前記処理部は、第１画素及び第２画素の各々が有する白色の副画素のうち出力がより小さい一方の副画素の出力に応じて他方の副画素の出力を決定する
　請求項３に記載の画像表示装置。　
　　【請求項５】
　前記第１画素における前記白色の副画素の配置と前記第２画素における前記白色の副画素の配置とは同一の配置である
　請求項１から４のいずれか一項に記載の画像表示装置。　
　　【請求項６】
　前記第１画素が有する副画素の各々の色及び位置関係による前記第１画素の色相環と、前記第２画素が有する副画素の各々の色及び位置関係による前記第２画素の色相環とは、色相の回転方向が同一である
　請求項１又は２に記載の画像表示装置。　
　　【請求項７】
　前記第１画素における副画素の配置と前記第２画素における副画素の配置は、各画素における副画素同士の輝度の高低関係が同一である
　請求項１又は２に記載の画像表示装置。　
　　【請求項８】
　第１の色域が、赤、緑、青の３色とこの３色のうち２色以上の合成色からなり、第２の色域が、シアン、マゼンタ、イエローの３色とこの３色のうち２色以上の合成色からなり、複数の画素がマトリクス状に設けられ、前記複数の画素が第１画素及び第２画素を含み、前記第１画素が、白色の副画素と、前記第１の色域に対応する赤の副画素、緑の副画素及び青の副画素と、を有し、前記第２画素が、白色の副画素と、前記第２の色域に対応するシアンの副画素、マゼンタの副画素及びイエローの副画素と、を有し、前記第１画素と前記第２画素とが隣接する画像表示部の各画素が有する副画素の出力を、前記第１の色域に対応する入力画像信号に応じて決定する画像表示方法であって、
　前記第２画素に対応する入力画像信号の成分のうち白色に変換可能な白色成分を前記白色の副画素に割り当て、前記白色成分を除いた当該入力画像信号の成分のうちシアン、マゼンタ及びイエローで再現可能な第２色域成分を前記シアンの副画素、前記マゼンタの副画素及び前記イエローの副画素の少なくとも１つに割り当て、前記白色成分及び前記第２色域成分を除いた当該入力画像信号の成分を色域外成分とし、前記第１画素に対応する入力画像信号の成分と前記色域外成分とを合わせた合算成分を前記第１画素が有する副画素に割り当てる画像表示方法。」
第４　引用文献、引用発明等
１．引用文献１について
　原査定の拒絶の理由に引用された引用文献１には、図面とともに次の事項が記載されている。（下線は当審による。以下同様。）
「【００３６】
  図２Ｂに、本発明の一実施形態による４原色以上の
ディスプレイシステム
このシステムは、
薄膜トランジスタ（ＴＦＴ）アクティブマトリックス技術を用いるＬＣアレイと
ｎ原色フィルタアレイ２１６とを
含む。
表示されるイメージの各フルカラーピクセルは、相異なる原色にそれぞれ対応する４つ以上のサブピクセルによって再現され、
ｎ原色コントローラ２１８は、入力データを、
ＲＧＢ
フォーマットとして受け取り、
各ピクセルに対する入力データに基づいて、相異なるドライバに送達される信号の大きさを調節する。
サブピクセルに対するイメージデータに従って各サブピクセルの照明が選択的に制御される。
「【００６１】
  様々な応用例、特にビデオとコンピュータグラフィックスが混合された応用例では、いかなる解像度の損失も回避することが好ましい。前述の２つの行として構成された６個のサブピクセルを有するピクセルでは、相異なるサブピクセルカラーの特別な構成を実施してディスプレイ解像度を改善することができる。そのような構成の一例を図１２Ａに示す。この構成では、
各ピクセル内のサブピクセルが、３つのサブピクセルをそれぞれ含む２つの行として構成される。行Ａは
ＲＧＢピクセルを含み、行Ｂは
ＣＭＹピクセルを含む。ＣＭＹピクセルの組合せは、
Ｃ、Ｍ、およびＹの色度値によって定義される三角形の色域に含まれる色も生成することができる。
「【００６３】
  上述の６原色構成により、本発明による６原色ディスプレイの少なくとも３つの動作モードが可能となる。図１３Ａに、そのような６原色ディスプレイの色度平面上の色域を略図で示す。全色域は、６原色をつなぐ点線で表される。ＲＧＢ原色の色域は、破線の三角形で表され、ＣＭＹ原色の色域は、実線の三角形の範囲に及ぶ。図１３Ａ中の影を付けた六角形の領域は、ＣＭＹ原色集合とＲＧＢ原色集合の論理積を取った色域を表す。このディスプレイの第１動作モードは高解像度の「限定色域」モードであり、とりわけグラフィックス応用例に適している。このモードでは、解像度は、対応する３原色ディスプレイの解像度（例えば、ＳＸＧＡディスプレイでは１２８０×１０２４ピクセル、ＸＧＡディスプレイでは１０２４×７６８など）と同一にすることができる。このタイプの構成に対する色の組合せは、ＲＧＢ３原色（副構造）とＣＭＹ３原色のどちらでも生成することができ、それによってディスプレイの色域が、ＣＭＹ色域とＲＧＢ色域の論理積、例えば図１３Ａ中の影の付いた六角形によって定義される。この動作モードでは、色が３サブピクセルレベルで処理され、例えば、３原色ディスプレイを駆動するのに適したデータが、ピクセルに割り当てられた原色の組、例えばＲＧＢやＣＭＹの如何に関わらず、各ピクセルに送達される。ＲＧＢピクセルとＣＭＹピクセルの差は、入力データを、サブピクセルを駆動するのに使用する係数に変換するマトリックスにある。より細密なデータフローも可能であり、それを下記で提示する。」
「【００６７】
  図１３Ａを参照すると、入力データがＣＭＹの三角形の外側にあるがＲＧＢの三角形内にある場合、特定の応用例に応じて、データをいくつかの異なる方式で処理することができる。一実施形態では、データがＲＧＢサブピクセル構成要素だけで表され、ＣＭＹ構成要素がゼロ照明に設定される。別の実施形態では、入力データがＲＧＢ構成要素によって表され、ＣＭＹ構成要素が、所望の色に最も近い色の組合せを表す。本発明のこの実施形態では、「最も近い」色の組合せを輝度または色度によって定義することができ、あるいは単に任意の負のサブピクセル値をゼロに設定することによって定義することもできる。別の実施形態では、
ＣＭＹ構成要素は、所望の色に可能な限り最も近い色の組合せを表し、所望の色とＣＭＹ表現との差がＲＧＢ構成要素によって補正される。
【図２】
【図１２】
【図１３】
　上記の記載より、引用文献１には次の発明（以下、「引用発明」という。）が記載されていると認められる。
「薄膜トランジスタ（ＴＦＴ）アクティブマトリックス技術を用いるＬＣアレイと、ｎ原色フィルタアレイ２１６とを含み、表示されるイメージの各フルカラーピクセルは、相異なる原色にそれぞれ対応する４つ以上のサブピクセルによって再現され、ｎ原色コントローラ２１８は、入力データを、ＲＧＢフォーマットとして受け取り、各ピクセルに対する入力データに基づいて、相異なるドライバに送達される信号の大きさを調節し、サブピクセルに対するイメージデータに従って各サブピクセルの照明が選択的に制御されるディスプレイシステムであって、（【００３６】参照。）
　各ピクセル内のサブピクセルが、３つのサブピクセルをそれぞれ含む２つの行として構成され、行ＡはＲＧＢピクセルを含み、行ＢはＣＭＹピクセルを含み、ＣＭＹピクセルの組合せは、Ｃ、Ｍ、およびＹの色度値によって定義される三角形の色域に含まれる色も生成することができ、（【００６１】参照。）
　ＣＭＹ構成要素は、所望の色に可能な限り最も近い色の組合せを表し、所望の色とＣＭＹ表現との差がＲＧＢ構成要素によって補正される（【００６７】参照。）
　ディスプレイシステム。」
２．引用文献２について
　また、原査定の拒絶の理由に引用された引用文献２には、次の事項が記載されている。
「【００２１】
  図１（２）は、入力信号がＲＧＢＷ４種であり
表示装置は、ＲＧＷとＧＢＷの２種の画素が交互に並ぶ場合を示す。
隣接する２画素を組み合わせることでＲＧＢＷ４種が表示可能となる。
「【００３３】
  以下の手順の説明では、簡単のため、ＲＧＢＷのいずれかの色に限定して説明する。またパネル画素構成記憶手段１０８との接続関係は明示していないが、適宜に接続しているとする。例えば１ライン上に隣接する画素Ｉ，Ｊ，Ｋの、ある色の信号値（色信号）をＸｉ，Ｘｊ，Ｘｋであるとする。上記の色は、表示装置の画素位置Ｊにおいて表示不可であり、画素位置ＩＫにおいて表示可能であるとする。
本発明は、該色信号Ｘｊを、隣接画素ＩＫを用いて代替するための信号変換を行う。
「【００５９】
  置き換え先の色信号としては、同一画素における他の色信号とすることもできる。しかし、置き換え先をＷとするならば、無彩色であることから、置き換えによる色の変化を抑えることができる。あるいは輝度成分の置き換えを目的として、若干の色の変化を許容することで、本発明は、表示不可な色信号を、同一画素位置にあるＧサブ画素の信号に置き換えることもできる。あるいは、表示不可な色信号を、同一画素位置にある複数の色種類の色信号の組み合わせに置き換えることも出来る。以下の説明は、Ｗサブ画素への置き換えの例を示す。」
３．引用文献３について
　また、原査定の拒絶の理由に引用された引用文献３には、次の事項が記載されている。
「[0126]FIG. 5  is a block diagram of a signal modifier according to an embodiment of the present invention, which may be integrated in the signal controller  600  shown in  FIG. 1  or implemented as a stand-alone device.
[0127]Referring to  FIG. 5 , a signal modifier according to this embodiment includes a magnitude comparator  601 , a decomposer  602 , a scaler  603 , and a signal extractor  604 .
[0128]The magnitude comparator  601  compares the magnitudes (or grays) of image signals in a set of three three-color input signals, which include a red signal R, a green signal, and a blue signal B, and classifies each signal into the highest one (Mx), the middle one (Md), and the lowest one (Mn).
[0129]
The decomposer  602  decomposes the set of the three-color input signals from the magnitude comparator  60  into a set of six six-color signal components.
[0130]The scaler  603  compares the six-color signal components from the decomposer  602  and determines the highest one among the six components. Thereafter, the scaler  603  calculates a scaling factor given by the ratio of the highest one (Mx) of the three input signals to the highest six-color component and calculates increments for the six-color components by multiplying the scaling factor to the six-color components.
[0131]The signal extractor  604  extracts six six-color output signals representing red, green, blue, cyan, magenta, and yellow colors based on the calculated increments from the scaler  603 .
[0132]Now, arrangements of six-color subpixels on the panel assembly according to embodiments of the present invention will be described in detail with reference to  FIGS. 6-16 .
[0133]Hereinafter, 
a subpixel is referred to as red, green, blue, cyan, magenta, and yellow subpixel depending on the color represented by the subpixel 
（当審訳）
「[0126]図5は、本発明の一実施形態による信号変更器のブロック図であり、図1に示した信号制御部600に組み込まれるか、またはスタンドアロンデバイスとしてインプリメントされることができる。
[0127]図5を参照すると、この実施形態の信号変更器は、マグニチュードコンパレータ601、分解器602、スケーラ603、および信号抽出器604を備えている。
[0128]マグニチュードコンパレータ601は、３色の入力信号、赤色信号R、緑色信号、および、青色信号Bを含む画像信号の大きさ(または階調)を比較し、各信号のうち最高(Mx)、中心(Md)および最低(Mn)に分類する。
[0129]
分解器602は、マグニチュードコンパレータ60からの3色の入力信号の組を分解して6 色信号成分のセットに変換する。
[0130]スケーラ603は、分解器602からの6色信号成分を比較し、6の成分の中で最も高いものを決定する。その後、スケーラ603は、最高6色成分への3個の入力信号のうち最も高いもの(Mx)の割合によって与えられたスケーリング係数を計算し、スケーリング係数を6色の色成分に乗算することにより、6色成分の増加分を算出する。
[0131]信号抽出器604は、スケーラ603からの計算された増加分に基づいて赤、緑、青、シアン、マゼンタ、及びイエロー色を表現できる6色出力信号を抽出する。
[0132]以下、本発明の実施形態に係るパネルアセンブリ上の6色のサブ画素配列は図6-16を参照して詳細に説明する。
[0133]以下では、
サブ画素は、サブ画素によって表される色に応じて、赤色、緑色、青色、シアン、マゼンタ、およびイエローサブピクセルと呼ばれ、
４．引用文献４について
　また、原査定の拒絶の理由に引用された引用文献４には、次の事項が記載されている。
「【００６１】
  以下、本実施形態の多原色表示装置１００を説明する。表５に、本実施形態の多原色表示装置１００において無彩色を表示するときのサブセットの最大輝度Ｙｓ（％）、各サブ画素の輝度比、階調値、画素の最大輝度Ｙｐ、サブセット間の輝度差ΔＹｓ（％）、サブセットの色度座標（ｘ，ｙ）、および、サブセット間の色度差Δｕ’ｖ’を示す。本実施形態の多原色表示装置１００の調整部４００は、
サブセット間の輝度差ΔＹｓの割合を小さくするように無彩色表示時のサブ画素の輝度を調整している。
５．引用文献５について
　また、原査定の拒絶の理由に引用された引用文献５には、次の事項が記載されている。
「【００７２】
  （実施例４）
  本発明の第４の実施例のカラーフィルタ配列を図９に示す。本実施例では、
ＲＧＢＹＭＣの６色の他に、カラーフィルタのない透明な表示セルＷを含んでいる。
【００７３】
  大画素表示モードではＲＧＢＷＣＭＹＷの８つの表示セルの組を表示単位とし、小画素表示モードでは、ＹＢ、ＭＧ、ＣＲ、ＷＷをそれぞれ表示単位としている。
【００７４】
  
Ｗの表示セルは、複屈折による色の変調によってＹ→Ｒ→Ｍ→Ｂ→Ｃ→Ｇの６色を順次表示する。
６．引用文献６について
　また、原査定の拒絶の理由に引用された引用文献６には、次の事項が記載されている。
「【００３１】
本発明の実施形態において、ストライプ配列以外の形態としてはマトリクス配列が挙げられる。マトリクス配列の場合も、Ｙ値の最も高い色のサブピクセルを画素の中央領域に配置すればよい。例えば、６色のサブピクセルを用いた２×３配列においては、上下３列の中央にある２つのサブピクセルのいずれかにＹを配置すればよく、図１０に示されるようにＲＧＢＭＹＣの６色のサブピクセルを用いる場合には、
Ｙ値の最も高いＹと次いで高いＧを上下３列の中央にそれぞれ配置する形態が挙げられる。
第５　対比・判断
１．本願発明１について
（１）対比
　本願発明１と引用発明とを対比する。 
　まず、引用発明の「ディスプレイシステム」は、「薄膜トランジスタ（ＴＦＴ）アクティブマトリックス技術を用いるＬＣアレイと、ｎ原色フィルタアレイ２１６とを含」む構成を有するものであって、上記「薄膜トランジスタ（ＴＦＴ）アクティブマトリックス技術を用いるＬＣアレイ」が、マトリクス状に設けられた複数の画素を形成するものであることは明らかである。したがって、引用発明の上記構成は、本願発明１の「複数の画素がマトリクス状に設けられた画像表示部」に相当するといえる。
　また、引用発明が「ＲＧＢフォーマットとして受け取」る「入力データ」は、本願発明１の「赤、緑、青の３色とこの３色のうち２色以上の合成色からなる第１の色域に対応する入力画像信号」に相当するものであるから、引用発明の「入力データを、ＲＧＢフォーマットとして受け取り、各ピクセルに対する入力データに基づいて、相異なるドライバに送達される信号の大きさを調節し、サブピクセルに対するイメージデータに従って各サブピクセルの照明が選択的に制御される」ようにする「ｎ原色コントローラ２１８」は、本願発明１の「赤、緑、青の３色とこの３色のうち２色以上の合成色からなる第１の色域に対応する入力画像信号に応じて前記画像表示部の各画素が有する副画素の出力を決定する処理部」に相当する。
　また、引用発明において「各ピクセル内のサブピクセルが、３つのサブピクセルをそれぞれ含む２つの行として構成され、行ＡはＲＧＢピクセルを含み、行ＢはＣＭＹピクセルを含」むことと、本願発明１において「前記複数の画素は、第１画素及び第２画素を含」むこととは、共に「前記複数の画素は、第１領域及び第２領域を含」む点で共通するといえる。（ここで、引用発明の「ＲＧＢピクセルを含」む「行Ａ」は「第１領域」に対応し、引用発明の「ＣＭＹピクセルを含」む「行Ｂ」は「第２領域」に対応する。）
　さらに、引用発明において「行Ａ」が「ＲＧＢピクセルを含」むことと、本願発明１において「前記第１画素は、白色の副画素と、前記第１の色域に対応する赤の副画素、緑の副画素及び青の副画素と、を有」することとは、共に「前記第１領域は、前記第１の色域に対応する赤の副画素、緑の副画素及び青の副画素と、を有」する点で共通し、また引用発明において「行Ｂ」が「ＣＭＹピクセルを含」むことと、本願発明１において「前記第２画素は、白色の副画素と、第２の色域に対応するシアンの副画素、マゼンタの副画素及びイエローの副画素と、を有し、前記第２の色域は、シアン、マゼンタ、イエローの３色とこの３色のうち２色以上の合成色からな」ることとは、共に「前記第２領域は、第２の色域に対応するシアンの副画素、マゼンタの副画素及びイエローの副画素と、を有し、前記第２の色域は、シアン、マゼンタ、イエローの３色とこの３色のうち２色以上の合成色からな」る点で共通するといえる。
　次に、引用発明の「行Ａ」及び「行Ｂ」は、「各ピクセル内のサブピクセルが、３つのサブピクセルをそれぞれ含む２つの行として構成され」る２つの行であるから、隣接して設けられていることは明らかであり、このことと、本願発明１において「前記第１画素と前記第２画素とが隣接」していることとは、共に「前記第１領域と前記第２領域とが隣接」している点で共通するといえる。
　また、引用発明の「ディスプレイシステム」は、本願発明１の「画像表示装置」に相当する。
　してみると、両者の一致点及び相違点は、以下のとおりである。
　                        
（一致点）
「複数の画素がマトリクス状に設けられた画像表示部と、
　赤、緑、青の３色とこの３色のうち２色以上の合成色からなる第１の色域に対応する入力画像信号に応じて前記画像表示部の各画素が有する副画素の出力を決定する処理部と
　を備え、
　前記複数の画素は、第１領域及び第２領域を含み、
　前記第１領域は、前記第１の色域に対応する赤の副画素、緑の副画素及び青の副画素、を有し、
　前記第２領域は、第２の色域に対応するシアンの副画素、マゼンタの副画素及びイエローの副画素、を有し、
　前記第２の色域は、シアン、マゼンタ、イエローの３色とこの３色のうち２色以上の合成色からなり、
　前記第１領域と前記第２領域とが隣接する、
　画像表示装置。」
　
　（相違点）　
相違点１：本願発明１においては、「複数の画素は、第１画素及び第２画素を含」むのに対し、引用発明の「行Ａ」及び「行Ｂ」は、ピクセル内の領域を指すものであって、それぞれが画素を形成するものではない点。
　　
相違点２：本願発明１の第１画素及び第２画素が、それぞれ「白色の副画素」を備えるのに対し、引用発明の「行Ａ」及び「行Ｂ」は、白色のサブピクセルを有さない点。
相違点３：本願発明１においては「前記処理部は、前記第２画素に対応する入力画像信号の成分のうち白色に変換可能な白色成分を前記白色の副画素に割り当て、前記白色成分を除いた当該入力画像信号の成分のうちシアン、マゼンタ及びイエローで再現可能な第２色域成分を前記シアンの副画素、前記マゼンタの副画素及び前記イエローの副画素の少なくとも１つに割り当て、前記白色成分及び前記第２色域成分を除いた当該入力画像信号の成分を色域外成分とし、前記第１画素に対応する入力画像信号の成分と前記色域外成分とを合わせた合算成分を前記第１画素が有する副画素に割り当てる」のに対し、引用発明においてはそのような割り当て処理は行われていない点。
（２）相違点についての判断
　本願発明１の内容に鑑みて、まず上記相違点３について検討する。
　上記「第４」２．の引用文献２において、
「【００２１】
  ・・・入力信号がＲＧＢＷ４種であり表示装置は、ＲＧＷとＧＢＷの２種の画素が交互に並ぶ場合を示す。・・・隣接する２画素を組み合わせることでＲＧＢＷ４種が表示可能となる。」
　と記載されているように、単に白色の副画素を設けることや、隣接する画素の間で割り当て処理を行うことは、本願出願日前において周知技術であったといえる。
　しかしながら、上記相違点３に係る、まず第２画素に関し白色成分を割り当て、次に第２色域成分を割り当て、これらを除いた成分を色域外成分とし、第１画素に割り当てる、という具体的な割り当て処理は上記引用文献２ないし６に記載されておらず、また自明でもない。
　したがって、上記相違点１、２について判断するまでもなく、本願発明１は、当業者であっても、引用文献１ないし６に基づいて容易に発明できたものとはいえない。
２．本願発明２ないし７について
　本願発明２ないし７も、本願発明１の上記相違点３に係る構成と同一の構成を備えるものであるから、本願発明１と同じ理由により、当業者であっても、引用文献１ないし６に基づいて容易に発明できたものとはいえない。
３．本願発明８について
　本願発明８は、本願発明１に対応する方法の発明であり、本願発明１の上記相違点３に係る構成に対応する構成を備えるものであるから、本願発明１と同様の理由により、当業者であっても、引用文献１ないし６に基づいて容易に発明できたものとはいえない。
第６　原査定について
　審判請求時の補正により、本願発明１−８は「前記処理部は、前記第２画素に対応する入力画像信号の成分のうち白色に変換可能な白色成分を前記白色の副画素に割り当て、前記白色成分を除いた当該入力画像信号の成分のうちシアン、マゼンタ及びイエローで再現可能な第２色域成分を前記シアンの副画素、前記マゼンタの副画素及び前記イエローの副画素の少なくとも１つに割り当て、前記白色成分及び前記第２色域成分を除いた当該入力画像信号の成分を色域外成分とし、前記第１画素に対応する入力画像信号の成分と前記色域外成分とを合わせた合算成分を前記第１画素が有する副画素に割り当てる」という事項を有するものとなっており、当業者であっても、拒絶査定において引用された引用文献１−６に基づいて、容易に発明できたものとはいえない。したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。